(57)【特許請求の範囲】
【請求項１】
刃物取付台に取付けた切断刃を交換する切断刃交換装置であって、
前記切断刃の固定ボルト孔に挿入して前記刃物取付台に当接させるガイド部材と、該ガイド部材の外周でネジ機構によって軸方向に移動するテーパ部材と、該テーパ部材の軸方向移動で前記固定ボルト孔の内面に外面が密接する押圧部材とを設けた切断刃交換装置。
【請求項２】
前記ガイド部材を、外面にネジ部を形成した部材で構成し、前記テーパ部材を、内面が該ガイド部材のネジ部に螺合するネジ部で外面がテーパ面に形成された部材で構成し、前記押圧部材を、内面が該テーパ部材のテーパ面に沿うテーパ面で外面が前記固定ボルト孔の内面に挿入可能な外径の部材で構成し、前記テーパ部材をガイド部材の軸方向に移動させる移動操作部材を設けたことを特徴とする請求項１記載の切断刃交換装置。
【請求項３】
前記固定ボルト孔の内面および前記押圧部材の外面の少なくとも一方に滑り止め部を形成したことを特徴とする請求項１又は請求項２記載の切断刃交換装置。
【請求項４】
前記固定ボルト孔の内面と押圧部材の外面との間に、固定ボルト孔の半径方向に凹凸部を設けて滑り止め部を形成したことを特徴とする請求項３記載の切断刃交換装置。
【請求項５】
前記固定ボルト孔の内面と押圧部材の外面との間に、底部に向けて拡径するテーパ部を設けて滑り止め部を形成したことを特徴とする請求項３記載の切断刃交換装置。
【請求項６】
固定ボルトを取外した固定ボルト孔にガイド部材を挿入し、該ガイド部材の外周でテーパ部材をネジ機構で軸方向に移動させることによって押圧部材を広げて固定ボルト孔の内面に密接させて一体的に接合した後、ガイド部材を刃物取付台に当接させてネジ機構でテーパ部材を軸方向に移動させることにより押圧部材と一体的に切断刃を取外す切断刃交換方法。
【発明の詳細な説明】
【０００１】
【発明の属する技術分野】
本願発明は、剪断作用によりシート状物等の各種被破砕物を破砕する剪断式破砕機の切断刃を交換するための装置に関するものである。
【０００２】
【従来の技術】
従来から、剪断力を利用してプラスチックや木片、紙、金属、ゴム、繊維、皮革等のあらゆる被破砕物を破砕する剪断式の破砕機（シュレッダー）が知られている。
【０００３】
このような破砕機の切断刃は、駆動軸に設けられた刃物取付台に取付けられており、外側から半径方向にボルト等の固定手段で固定されている。このような切断刃によって様々な被破砕物が破砕されている。
【０００４】
この種の発明として、例えば、本出願人が先に出願した実開平４−１３１４４３号公報に記載された考案がある。この考案のシュレッダー用切断刃は、図８に示す剪断式破砕機の平面図と、図９に示す同剪断式破砕機の切断刃とスペーサとの関係を示す正面図のように、駆動軸５１と従動軸５２の軸方向に複数の刃物取付台５３とスペーサ５４とが並設され、刃物取付台５３に取付けられた切断刃５５が隣接するスペーサ５４の間に取付けられている。
【０００５】
これらの軸５１，５２に設けられて対向する切断刃５５は、例えば０．５〜１ｍｍ程度の微少隙間でラップした状態で配設されており、切断刃５５の先端および側部の角部で被破砕物が剪断破砕される。この破砕は、いわゆる、鋏のような剪断作用によって破砕するものである。
【０００６】
このようにして被破砕物を剪断破砕する切断刃５５は、軸方向にスペーサ５４で挟むようにして取付けることにより、このスペーサ５４によって位置決めと剪断時の横荷重が支持されている。
【０００７】
【発明が解決しようとする課題】
ところで、この種の剪断式破砕機で破砕する被破砕物は種々雑多な物があり、そのような被破砕物を長期間破砕していると、切断刃５５の間に被破砕物が付着したり、被破砕物中の水分等によって切断刃５５と刃物取付台５３とが錆等によって密着してしまう場合がある。
【０００８】
一方、このように剪断破砕する切断刃５５は、プラスチックや木材等の雑多な被破砕物を破砕するため、一部が破損したり短時間で摩耗する場合がある。この切断刃５５が摩耗する場合は先端および側部の角部から摩耗するが、角部の摩耗量が多くなると剪断破砕能力が大幅に落ちてしまうため、破砕能力を維持するために摩耗した切断刃５５を交換しなければならない。しかも、このような切断刃５５の交換は、切断刃の一部が損傷した場合でもその切断刃５５を交換することとなる。
【０００９】
しかしながら、前記したように切断刃５５が錆等で刃物取付台５３に密着している場合、切断刃５５を刃物取付台５３から分離するのが非常に困難である。しかも、刃物取付台５３の全周の切断刃を密着させて設けている場合、特に最初の１個が困難で、この切断刃５５の交換作業に多くの時間と労力を要してしまう。しかも、前記したように両側部にスペーサ５４を設けている切断刃５５を半径方向に取外すことは非常に困難である。その上、切断刃５５が錆等で強固に密着してしまっている場合には、軸５１，５２を分解しなければならない場合もある。
【００１０】
そのため、このような交換作業を行う間は破砕機が停止した状態となり、破砕機の稼働率を低下させてしまう。
【００１１】
【課題を解決するための手段】
そこで、前記課題を解決するために、本願発明の切断刃交換装置は、刃物取付台に取付けた切断刃を交換する切断刃交換装置であって、前記切断刃の固定ボルト孔に挿入して前記刃物取付台に当接させるガイド部材と、該ガイド部材の外周でネジ機構によって軸方向に移動するテーパ部材と、該テーパ部材の軸方向移動で前記固定ボルト孔の内面に外面が密接する押圧部材とを設けている。これにより、切断刃を取付けている固定ボルト孔に押圧部材を一体的に接合することによって押圧部材と切断刃とを一体化し、この押圧部材をガイド部材の軸方向に沿って移動させることによって切断刃を刃物取付台から取外して交換することができる。
【００１２】
前記ガイド部材を、外面にネジ部を形成した部材で構成し、前記テーパ部材を、内面が該ガイド部材のネジ部に螺合するネジ部で外面がテーパ面に形成された部材で構成し、前記押圧部材を、内面が該テーパ部材のテーパ面に沿うテーパ面で外面が前記固定ボルト孔の内面に挿入可能な外径の部材で構成し、前記テーパ部材をガイド部材の軸方向に移動させる移動操作部材を設ければ、移動操作部材でガイド部材の軸方向にテーパ部材を移動させることにより、このテーパ部材がネジ部に作用する大きな力で押圧部材を固定ボルト孔の内面に密接させるので、押圧部材と固定ボルト孔との一体的な密接が容易に可能であり、一体的に接合した切断刃をガイド部材の軸方向に移動させて取外すときに作用する取外し力に対抗し得る接合力を容易に得ることができる。
【００１３】
また、前記固定ボルト孔の内面および前記押圧部材の外面の少なくとも一方に滑り止め部を形成すれば、固定ボルト孔の内面と押圧部材の外面とをより強固に接合させることができる。
【００１４】
さらに、前記固定ボルト孔の内面と押圧部材の外面との間に、固定ボルト孔の半径方向に凹凸部を設けて滑り止め部を形成すれば、この凹凸部が係合して固定ボルト孔と押圧部材との一体的な接合をより安定させることができる。
【００１５】
また、前記固定ボルト孔の内面と押圧部材の外面との間に、底部に向けて拡径するテーパ部を設けて滑り止め部を形成しても、このテーパ部によって押圧部材の外面と固定ボルト孔の内面との密接をより安定させて、ボルト孔と押圧部材とを一体的に接合させることができる。
【００１６】
一方、本願発明の切断刃交換方法は、固定ボルトを取外した固定ボルト孔にガイド部材を挿入し、該ガイド部材の外周でテーパ部材をネジ機構で軸方向に移動させることによって押圧部材を広げて固定ボルト孔の内面に密接させて一体的に接合した後、ガイド部材を刃物取付台に当接させてネジ機構でテーパ部材を軸方向に移動させることにより押圧部材と一体的に切断刃を取外すようにしている。これにより、固定ボルト孔に挿入したガイド部材の外周でネジ機構によりテーパ部材を軸方向に移動させれば、このテーパ部材が押圧部材を固定ボルト孔の内面に密接させて一体的に接合するので、押圧部材と一体的に接合された切断刃をガイド部材の軸方向に移動させて取外すことができる。
【００１７】
【発明の実施の形態】
以下、本願発明の一実施形態を図面に基づいて説明する。図１は本願発明の第１実施形態を示す切断刃交換装置の一部断面した正面図である。図２は同切断刃交換装置の図面であり、(a) は分解図、(b) は(a) に示すＡ−Ａ断面図である。
【００１８】
図示するように、切断刃交換装置１には、切断刃２の固定ボルト孔３に挿入して刃物取付台４に当接させるガイド部材５と、このガイド部材５の外周でネジ機構によって軸方向に移動するテーパ部材６と、このテーパ部材６の軸方向移動で前記固定ボルト孔３の内面に外面が密接する押圧部材７とが設けられている。これらがセットされて切断刃交換装置１が構成されている。
【００１９】
前記ガイド部材５は、外面にネジ部８が形成され、頭部が六角に形成されたボルトで構成されている。前記テーパ部材６は、内面にこのガイド部材５のネジ部８に螺合するネジ部９が形成され、外面が所定のテーパ面１０に形成された側面視が台形状の部材で構成されている。前記押圧部材７は、内面の下部が前記テーパ部材６のテーパ面１０に沿うテーパ面１１で形成され、外面が前記固定ボルト孔３の内面に近接する外径の筒状部材で構成されている。この押圧部材７の上部は、筒状に形成され、上端には鍔部１２が形成されている。また、この押圧部材７の下部の前記テーパ面１１が形成された部分には、周囲に４本の切り欠き溝１３が形成されており、この切り欠き溝１３で切られた周囲４箇所が半径方向に拡径可能な押圧部１４として構成されている。
【００２０】
さらに、この実施形態では、この押圧部材７の上部に、前記テーパ部材６をガイド部材５の軸方向に移動させる移動操作部材１５が設けられている。この移動操作部材１５は六角ナットで構成されており、内面に前記ガイド部材５のネジ部８に螺合するネジ部１６が形成され、外部は六角に形成されている。
【００２１】
また、この実施形態では、押圧部材７のテーパ面１１が形成された外面に、固定ボルト孔３の内面に密接させた時の滑り止め効果を向上させるために、滑り止め加工としてローレット加工１７が施されている。
【００２２】
図３は図１に示す切断刃交換装置の使用状態を示す一部断面した正面図である。この第１実施形態では、上述した図６に示すように、軸方向に設けたスペーサ１８で挟んだ刃物取付台４の周方向に分割して取付けられた切断刃２から、最初の１個を取外す場合を説明する。
【００２３】
図示するように、刃物取付台４から取外したい切断刃２の固定ボルトを取外し、その固定ボルト孔３に上述した切断刃交換装置１を挿入して座面１９に押圧部材７の下端を当接させる。この場合、各切断刃２の前後は他の切断刃２との間に突起等が生じないように密着して取付けられているため、切断刃２を刃物取付台４から半径方向に真っ直ぐ抜くように両固定ボルト孔３に切断刃交換装置１が挿入され、これら切断刃交換装置１を同時又はほぼ同時に操作することによって切断刃２が刃物取付台４から半径方向に引き抜かれる。これら切断刃交換装置１は、固定ボルト孔３から刃物取付台４までの距離に応じた長さのガイド部材５が設けられたものが使用される。
【００２４】
図４の(a) 〜(c) は、図１に示す切断刃交換装置の使用方法の前半を示す一部断面した正面図であり、図５の(a) 〜(c) は、図４に示す使用方法に続く切断刃交換装置の後半の使用方法を示す一部断面した正面図である。前記図３の短いガイド部材５を例に操作方法を詳細に説明する。
【００２５】
図示するように、切断刃２を固定している固定ボルトを外した固定ボルト孔３に切断刃交換装置１のセットを持って行く（図４(a) ）。
【００２６】
この切断刃交換装置１のセットを固定ボルト孔３に挿入して、押圧部材７の下端を固定ボルト孔３の座面１９に当接させる。この時、ガイド部材５の先端は浮いた状態で設けられる。この状態では、押圧部材７の外径は固定ボルト孔３の内径よりも僅かに小径で形成されているので、押圧部材７と固定ボルト孔３との間には僅かな隙間が形成されている（図４(b) ）。
【００２７】
そして、ガイド部材５のネジ部８に螺合しているナットで構成された移動操作部材１５を押圧部材７側に締め付ける。これにより、押圧部材７は下端が固定ボルト孔３の座面１９に当接しているのでガイド部材５が反押圧部材側の軸方向へ移動させられ、ガイド部材５のネジ部８に螺合しているテーパ部材６が移動操作部材１５側へと移動させられる。この時、テーパ部材６はガイド部材５のネジ部８に沿って回転することなく軸方向に移動させられる。このようにしてテーパ部材６がガイド部材５の軸方向に移動させられると、テーパ部材６のテーパ面１０は押圧部材７のテーパ面１１に沿って軸方向に移動するので、押圧部材７の下部に形成された押圧部１４が外向きに広がって固定ボルト孔３の内面に密接させられる。この押圧部１４の密接力は、移動操作部材１５を締めた時にネジ機構によって大きな力を出すことができるので、強固に接合することができる。この密接力は移動操作部材１５の締付け力によって調整可能である（図４(c) ）。
【００２８】
押圧部材７を固定ボルト孔３に強固に密接させることにより、押圧部材７と切断刃２とを一体的に接合させたら、移動操作部材１５を逆方向に回転させて緩めることにより押圧部材７から離す。この状態では、テーパ部材６と押圧部材７と切断刃２とが一体的に接合されており、テーパ部材６のネジ部９のみがガイド部材５と螺合された状態となる。つまり、移動操作部材１５のガイド部材５は、テーパ部材６を介してのみ押圧部材７、すなわち切断刃２と接合された状態となる（図５(a) ）。
【００２９】
その後、ガイド部材５を締付ける方向に回転させることにより、テーパ部材６のネジ部９に螺合した状態でガイド部材５が刃物取付台４側に軸方向移動させられ、ガイド部材５の先端２０が刃物取付台４、すなわち、固定ボルト取付けネジ孔２１の底部２２に当接させられる（図５(b) ）。
【００３０】
この状態から更にガイド部材５を締付ける方向に回転させることにより、ガイド部材５の先端２０は刃物取付台４に当接して移動しないので、テーパ部材６が反刃物取付台方向に移動させられ、このテーパ部材６と一体的に接合された押圧部材７と切断刃２とが一体となって刃物取付台４からガイド部材５の軸方向に移動させられる（図５(c) ）。
【００３１】
そして、切断刃２がその両側部に設けられたスペーサ１８から外れると、切断刃２の拘束が外れるので、容易に交換することができる。
【００３２】
図６は本願発明の第２実施形態を示す切断刃交換装置の一部断面した正面図である。この第２実施形態では、固定ボルト孔内面と、押圧部材との間に凹凸状の係合部を設けて滑り止め部を形成した実施形態である。なお、上述した第１実施形態における構成と同一の構成には、同一符号を付して詳細な説明は省略する。
【００３３】
図示するように、この第２実施形態における固定ボルト孔３の内面には、軸方向と直角方向に半円状溝断面の凹部２３が周状に形成されている。一方、押圧部材７の押圧部１４外面には、軸方向と直角方向に前記凹部２３と係合して密接する凸部２４が周状に設けられている。この凸部２４の外径は、固定ボルト孔３の内径よりも僅かに小径で形成されている。これら凹部２３と凸部２４とは、固定ボルト孔３の底部から孔開口部側に所定距離離れて設けられており、これら凹部２３と凸部２４とによって滑り止め部が形成されている。この凹凸関係は逆でもよい。
【００３４】
なお、押圧部材７の凸部２４は確実に凹部２３と係合するが、この凸部２４以外の部分も固定ボルト孔３の内面と密接するので、係合部以外の部分でも押圧部材７と固定ボルト孔３とが密接して接合される。この第２実施形態では、押圧部１４の外周に凸部２４を形成しているのみであるが、この凸部２４とともに上述した第１実施形態と同様のローレット加工を施すことにより、固定ボルト孔３の内面と押圧部１４との密接をより強固にできる。これらは切断刃２の大きさや固定ボルト孔３の径等に応じて適宜選択すればよい。
【００３５】
以上のように構成された第２実施形態の切断刃交換装置２５による動作を以下に説明する。なお、切断刃交換装置２５の全体的な操作は上述した第１実施形態における図４(a) 〜(c) と図５(a) 〜(c) と同一操作であるため、各手順における詳細な説明は、これらの図を参照して省略する。
【００３６】
図６に二点鎖線で示すように、この切断刃交換装置２５も、固定ボルトを外した固定ボルト孔３に挿入し、押圧部材７の下端を固定ボルト孔３の座面１９に当接させる。この時、ガイド部材５の先端は浮いた状態で、押圧部材７の凸部２４は固定ボルト孔３との間に僅かな隙間が形成された状態である。この状態が上述した図４(b) に示す状態である。
【００３７】
このように固定ボルト孔３内に切断刃交換装置２５を挿入した後は、上述した図４(c) 、図５(a) 〜(c) と同一の操作によって押圧部材７の押圧部１４を固定ボルト穴３の内面に密接させて押圧部材７と切断刃２とを一体的に接合し、これらをガイド部材５で軸方向に移動させて取外すことができる。
【００３８】
この第２実施形態では、前記図４(c) における操作で、テーパ部材６が押圧部材７の押圧部１４を外向きに広げた時に、この押圧部１４の凸部２４が固定ボルト穴３の凹部２３に係合することとなる。このように凹部２３と凸部２４とからなる滑り止め部が係合した状態であれば、押圧部材７を軸方向に抜く時には確実に係合した状態が保たれるので、錆等で切断刃２が刃物取付台４と強固に密着しているような場合でも安定して切断刃２を押圧部材７とともに一体的に取外すことができる。
【００３９】
図７は本願発明の第３実施形態を示す切断刃交換装置の一部断面した正面図である。この第３実施形態では、固定ボルト孔内面にテーパ状に拡径するテーパ部を設けた実施形態である。なお、上述した第１実施形態における構成と同一の構成には、同一符号を付して詳細な説明は省略する。
【００４０】
図示するように、この第３実施形態における固定ボルト孔３の内面には、底部に向けて拡径するテーパ部２６が形成されている。このテーパ部２６は、押圧部材７の抜け止めが可能なテーパ角で形成されており、固定ボルト孔３の底部から所定高さであっても、図示するように全体的に形成されていてもよい。
【００４１】
また、このテーパ部２６と密接する押圧部材７の押圧部１４の外面は、予め、このテーパ部２６に沿うようなテーパ状に形成されていても、当初は同径で、テーパ部材６によって拡径された時に下端が広がって沿うように形成されたものであってもよい。この押圧部１４をテーパ状に形成すれば、取外し時の力によって押圧部材７が固定ボルト孔３とより密接するので、より安定した接合が可能となる。なお、この実施形態では同径の押圧部１４を示しており、上述した第１実施形態と同様に、外面にローレット加工が施された例を示している。
【００４２】
以上のように構成された第３実施形態の切断刃交換装置２７による動作を以下に説明する。なお、切断刃交換装置２７の全体的な操作は上述した第１実施形態における図４(a) 〜(c) と図５(a) 〜(c) と同様であるため、各手順における詳細な説明は、これらの図を参照して省略する。
【００４３】
図７に二点鎖線で示すように、この切断刃交換装置２７も、固定ボルトを外した固定ボルト孔３に挿入し、押圧部材７の下端を固定ボルト孔３の座面１９に当接させる。この時、ガイド部材５の先端は浮いた状態で、押圧部材７の凸部２４は固定ボルト孔３との間に僅かな隙間が形成された状態である。この状態が上述した図４(b) に示す状態である。
【００４４】
このように固定ボルト孔３内に切断刃交換装置２７を挿入した後は、上述した図４(c) 、図５(a) 〜(c) と同一の操作によって押圧部材７の押圧部１４を固定ボルト穴３の内面に密接させて押圧部材７と切断刃２とを一体的に接合し、これらをガイド部材５で軸方向に移動させて取外すことができる。
【００４５】
この第３実施形態では、前記図４(c) における操作で、テーパ部材６が押圧部材７の押圧部１４を外向きに広げた時に、この押圧部１４が固定ボルト穴３の内面に形成されたテーパ部２６に沿うこととなる。このように押圧部１４がテーパ部２６に沿って滑り止め部が係合した状態であれば、押圧部材７を軸方向に抜く時には確実に係合した状態が保たれるので、錆等で切断刃２が刃物取付台４と強固に密着しているような場合でも安定して切断刃２を押圧部材７とともに一体的に取外すことができる。
【００４６】
なお、上述した各実施形態における構成を任意に組合わせることにより組合わせによる効果を奏するようにすることは可能であり、使用条件等に応じて好ましい構成にすればよい。
【００４７】
また、上述した実施形態では刃物取付台４をスペーサ１８で挟んで設けた例を示しているが、本願発明は刃物取付台４に設けられた切断刃２であれば同様に取外すことができ、上述した実施形態に限定されるものではない。
【００４８】
さらに、上述した実施形態は一実施形態であり、本願発明の要旨を損なわない範囲での種々の変更は可能であり、本願発明は上述した実施形態に限定されるものではない。
【００４９】
【発明の効果】
本願発明は、以上説明したような形態で実施され、以下に記載するような効果を奏する。
【００５０】
切断刃と一体的に接合した押圧部材によって切断刃を刃物取付台から容易に取外すことができるので、切断刃の交換作業を迅速に行うことが可能となる。
【図面の簡単な説明】
【図１】本願発明の第１実施形態を示す切断刃交換装置の一部断面した正面図である。
【図２】図１に示す切断刃交換装置の図面であり、(a) は分解図、(b) は(a) に示すＡ−Ａ断面図である。
【図３】図１に示す切断刃交換装置の使用状態を示す一部断面した正面図である。
【図４】  (a) 〜(c) は、図１に示す切断刃交換装置の使用方法の前半を示す一部断面した正面図である。
【図５】  (a) 〜(c) は、図４に示す使用方法に続く切断刃交換装置の後半の使用方法を示す一部断面した正面図である。
【図６】本願発明の第２実施形態を示す切断刃交換装置の一部断面した正面図である。
【図７】本願発明の第３実施形態を示す切断刃交換装置の一部断面した正面図である。
【図８】従来の剪断式破砕機を示す平面図である
【図９】図８に示す剪断式破砕機の切断刃とスペーサとの関係を示す正面図である。
【符号の説明】
１…切断刃交換装置
２…切断刃
３…固定ボルト孔
４…刃物取付台
５…ガイド部材
６…テーパ部材
７…押圧部材
８，９…ネジ部
１０，１１…テーパ面
１２…鍔部
１３…切り欠き溝
１４…押圧部
１５…移動操作部材
１６…ネジ部
１７…ローレット加工
１８…スペーサ
１９…座面
２０…先端
２１…固定ボルト取付けネジ孔
２２…底部
２３…凹部
２４…凸部
２５…滑り止め部
２６…切断刃交換装置
２７…テーパ部
２８…切断刃交換装置
【図１】
0003662545.tif 000002
【図２】
0003662545.tif 000003
【図３】
0003662545.tif 000004
【図４】
0003662545.tif 000005
【図５】
0003662545.tif 000006
【図６】
0003662545.tif 000007
【図７】
0003662545.tif 000008
【図８】
0003662545.tif 000009
【図９】
0003662545.tif 000010